(57)【要約】【課題】  本発明は、窓の位置関係に関わらず、スクリーンの上げ下げの操作を行いやすい位置に操作部を取り付けることのできるロールスクリーン装置を提供することにある。【解決手段】  スクリーン１と、巻き取り部２と、操作部材３を備えており、巻き取り部２は、両側に操作部材取付部８，８を有しており、操作部材３は、操作手段１０と、操作手段１０により回転自在な回転部９とを有しており、操作部材３をいずれかの操作部材取付部８，８に取り付けできるとともに、操作手段１０で巻き取り部２を回転自在に連結することを特徴とする。【選択図】      図１
2018017048.tif 000002
【特許請求の範囲】
【請求項１】
スクリーンと、巻き取り部と、操作部材を備えており、
巻き取り部は、両側に操作部材取付部を有しており、操作部材は、操作手段と、操作手段により回転自在な回転部とを有しており、
操作部材をいずれかの操作部材取付部に取り付けできるとともに、操作手段で巻き取り部を回転自在に連結することを特徴とするロールスクリーン装置。
【請求項２】
操作部材取付部は、操作部材を巻き取り部まで引き寄せるガイド部と、ガイド部の開放側を塞いで操作部材を抜け出し不能に位置決めする閉塞部材とを有していることを特徴とする請求項１記載のロールスクリーン装置。
【発明の詳細な説明】
【技術分野】
【０００１】
本発明は、窓の室内側に網やカーテン等のスクリーンを巻き取り、あるいは巻き出しすることで使用するロールスクリーン装置に関するものである。
【背景技術】
【０００２】
ロールスクリーン装置は、網状スクリーンやロールカーテン、ロールブラインドなどのスクリーンを巻き取り軸に巻き付けたものを収容したケースを窓枠の室内側にブラケット等で持ちだして取り付けられている。また、スクリーンの巻き取りと巻き出しには、巻き取り部の側部に設けてあるボールチェーン等の操作手段を手で回して操作するものである。
【先行技術文献】
【特許文献】
【０００３】
【特許文献１】特開２００２−２３５４８７号公報
【発明の概要】
【発明が解決しようとする課題】
【０００４】
しかしながら、上記のようなロールスクリーン装置を設置するときに、躯体の隅角部などの窓に躯体壁が迫るような場所では、躯体壁側に操作手段が配置されたときに手を差し入れにくく、このことから、スクリーンの上げ下げがやりにくい問題点があった。そこで、窓の配置状態にあわせて前述のボールチェーン等の操作手段を巻き取り部に対し右付き、左付きのそれぞれを在庫する等の対策をとっていたが、無駄の多いものであった。
【０００５】
本発明は以上に述べたような実情に鑑み、窓の位置関係に関わらず、スクリーンの上げ下げの操作を行いやすい位置に操作部を取り付けることのできるロールスクリーン装置を提供することにある。
【課題を解決するための手段】
【０００６】
本発明の請求項１記載の発明は、スクリーンと、巻き取り部と、操作部材を備えており、巻き取り部は、両側に操作部材取付部を有しており、操作部材は、操作手段と、操作手段により回転自在な回転部とを有しており、操作部材をいずれかの操作部材取付部に取り付けできるとともに、操作手段で巻き取り部を回転自在に連結することを特徴とする。
【０００７】
本発明の請求項２記載の発明では、操作部材取付部は、操作部材を巻き取り部まで引き寄せるガイド部と、ガイド部の開放側を塞いで操作部材を抜け出し不能に位置決めするカバー部材とを有していることを特徴とする。
【発明の効果】
【０００８】
本発明のうち請求項１記載の発明によれば、スクリーンの巻き取り、またはスクリーンの巻き出しの操作を行う操作部材を、巻き取り部の両側に設けたいずれかの操作部材取付部に自在に付け替えることができる。これにより、窓に躯体壁などが迫る間取りの場所であっても、操作部材を巻き取り部に対して躯体壁などとは離れた側にある操作部材取付部に取り付けることで、使用者が操作手段を操作し易くなる。
【０００９】
本発明のうち請求項２記載の発明によれば、操作部材をガイド部で引き寄せて案内し、巻き取り軸と容易に連結できる。さらに、巻き取り軸と連結した操作部材は、カバー材で塞がれてガイド部から抜け出さない構造となることから、スクリーンの巻き取り、または巻き出しを行う操作を安定して行うことができる。
【図面の簡単な説明】
【００１０】
【図１】（ａ）（ｂ）は、本実施によるロールスクリーン装置の正面図であり、躯体壁の位置で操作部材を付け替える状態を示す正面図である。
【図２】本実施による操作部材の（ａ）は、側面図であり、（ｂ）は、正面図であり、（ｃ）は、（ｂ）のＢ−Ｂ線縦断面図であり、（ｄ）は、（ａ）のＡ−Ａ線横断面図である。
【図３】本実施による巻き取り部を示す（ａ）は、正面図であり、（ｂ）は、Ｃ−Ｃ線断面図である。
【図４】（ａ）〜（ｄ）は、躯体壁に対する窓の状況に対応して操作部材を取り付けるときの手順を示す正面図である。
【図５】（ａ）（ｂ）は、窓の状況に合わせて操作部材を取り付ける位置を替えたときの状態を示す正面図である。
【発明を実施するための形態】
【００１１】
以下、本発明のロールスクリーン装置の実施形態を図面に基づいて説明する。
本実施によるロールスクリーン装置は、図１（ａ）（ｂ）のように、網状スクリーン（スクリーン）１と、巻き取り部２と、操作部材３とから構成している。また、巻き取り部２は、フレーム４と、巻き取り軸５と、巻き取り軸５に網状スクリーン１を巻き付けたロール体をフレーム４の内部に軸回転が可能な状態に取り付けてあり、巻き取り軸５の軸方向のいずれか一方側の軸端部５ｂに操作部材３を取り付けて構成している。
【００１２】
網状スクリーン１は、可撓性を有するグラスファイバー等のガラス樹脂繊維で編み込まれたシート状物である。また、網状スクリーン１は、躯体の窓の開口に対して余裕をもって塞ぐことのできる縦横の寸法を有している。さらに、巻き取り軸５は、断面ほぼ円形状をなす筒状のものである。また、巻き取り軸５には、網状スクリーン１の端縁部を取り付けるスクリーン取付部５ａが軸方向のほぼ全長に亘って設けてある。そして、巻き取り軸５を軸回転することで、網状スクリーン１を巻き取り軸５の外周部に巻き付けることができる。
【００１３】
巻き取り部２を構成するフレーム４は、図３（ａ）（ｂ）のように、巻き取り軸５の室外側と上側を囲む断面ほぼＬ字型の一方側フレーム構成部材４ａと、室内側と下側の一部を囲む断面ほぼＬ字型の他方側フレーム構成部材４ｂとを係合して、網状スクリーン１を収納するスクリーン収納空間を内部に設けるために、ボックス型に構成するものである。その両側部には、巻き取り軸５の軸受け部６，６がそれぞれ設けてある。軸受け部６，６は、フレーム４の両側を塞ぐ側壁部６ａと、側壁部６ａを貫通する軸受孔６ｂを有している。そして、軸受孔６ｂには、巻き取り軸５の軸端部５ｂを挿通して側壁部６ａで支持し、フレーム４の内周部に留まるように取り付けるものである。また、フレーム４は、窓の上の躯体壁の室永側部に固定することにより、フレーム４は、窓の室内側に取り付けられる。さらに、フレーム４の両側部には、操作部材取付部８，８がそれぞれ設けてある。操作部材取付部８は、上側と外周側部がそれぞれ開放した上向きコ字状にガイドレール（ガイド部）８ａが配置されており、ガイドレール８ａの内周部には、ユニット収納空間Ｓが設けてある。このガイドレール８ａに沿って操作部材３を上下に抜き差し自在な状態で取り付けることができる。また、操作部材取付部８に操作部材３を換装した後、開放しているガイドレール８ａの外周側部に側面カバー材８ｂで閉塞することで、ガイドレール８ａからの操作部材３の抜け出しが防がれる。
【００１４】
操作部材３は、図２（ａ）〜（ｄ）のように、プーリー９と、ボールチェーン１０と、カートリッジボックス１１とから構成している。カートリッジボックス１１は、ほぼ矩形状の箱型をなしており、その内部にプーリー収納部１１ａを有するものである。また、プーリー収納部１１ａには、プーリー９を軸回転自在に支持する筒状軸部１１ｂが設けてあり、この筒状軸部１１ｂの断面形状は、ほぼ矩形状をなしている。これにより、プーリー９が回転したときの力が筒状軸部１１ｂに駆動伝達し、筒状軸部１１ｂの外周部に巻き取られた状態、または筒状軸部１１ｂの外周部から巻き出された状態の網状スクリーン１を出し入れできるようになる。また、プーリー９のほぼ中央には、ほぼ矩形状をなす軸受孔９ａが設けてあり、プーリー９の外周部には、ほぼ全周に亘ってボール受部９ｂが設けてあり、各ボール受部９ｂには、上述したが無端状のボールチェーン１０が換装してある。そして、ボールチェーン１０は、紐１０ａに間隔をあけて複数の球状体１０ｂを取り付けてあり、各球状体１０ｂとプーリー９の係合によって、プーリー９に回転力を付与する。
【００１５】
以上のように、本実施によるロールスクリーン装置を形成することにより、巻き取り部２のいずれかの操作部材取付部８のガイド部８ａの内周部に、操作部材３のカートリッジボックス１１を沿わせて側方から換装し、さらに、ガイドレール８ａの開放した側方部を側面カバー材８ｂで閉塞することができる。このときに、操作部材３に内蔵するプーリー９の軸受孔９ａが、巻き取り部２の巻き取り軸５の軸端部５ｂに挿し込まれることで、プーリー９の回転によって巻き取り軸５の軸回転の方向を自在に切り替えることができる。これにより、プーリー９に換装するボールチェーン１０を使用者が手で掴んで引き降ろすことにより、プーリー９に回転力を付与できるようになる。この結果、図４（ａ）〜（ｄ）のように、ボールチェーン１０の回転方向を任意に切り替えることによって、巻き取り軸５での網状スクリーン１の巻き取り、または、網状スクリーン１の巻き出しを自在に行えるようになる。また、操作部材３を前述とは他の側にある操作部材取付部８に取り付けることにより、躯体壁Ｗが迫る窓の室内側に、本実施によるロールスクリーン装置を取り付けたとき、巻き取り部２における躯体壁Ｗから離れた側に設けてある操作部材取付部８に、操作部材３を取り付けることができる。
【００１６】
本発明のロールスクリーン装置は、上記した実施形態では操作部材３にボールチェーン１０を使用しているが、例えば、巻き取り軸５を直接回転するレバーハンドルや、あるいはボールチェーン１０以外の紐状物など、巻き取り軸５の軸の回転方向を任意に切り替えることのできるものであればよい。また、操作部材取付部８は、操作部材３を巻き取り軸５に連結して巻き取り部２に対して取り付けができるものであればよい。さらに、本発明のロールスクリーン装置に使用する対象となるスクリーン１は、上記実施形態では網状スクリーン１を使用しているが、その他のとしてスクリーン１は、ロールカーテンやブラインドであってもよい。
【符号の説明】
【００１７】
１  網状スクリーン（スクリーン）
２  巻き取り部
３  操作部材
４  フレーム
４ａ  一方側フレーム構成部材
４ｂ  他方側フレーム構成部材
５  巻き取り軸
５ａ  スクリーン取付部
５ｂ  軸端部
６  軸受部
６ａ  側壁部
６ｂ  軸受孔
８  操作部材取付部
８ａ  ガイドレール（ガイド部）
８ｂ  側面カバー材
９  プーリー（回転部）
９ａ  軸受孔
９ｂ  ボール受部
１０  ボールチェーン（操作手段）
１０ａ  紐
１０ｂ  球状体
１１  カートリッジボックス
１１ａ  プーリー収納部
１１ｂ  筒状軸部
１２  スクリーン巻き出し口
Ｐ  窓
Ｓ  ユニット収納空間
Ｗ  躯体壁
【図１】
2018017048.tif 000003
【図２】
2018017048.tif 000004
【図３】
2018017048.tif 000005
【図４】
2018017048.tif 000006
【図５】
2018017048.tif 000007